(57)【要約】【課題】画像調整を容易に行うことができる画像表示装置及び画像表示システムを提供する。【解決手段】入力された画像データに基づいて画像を表示する画像表示装置１において、入力された画像データに基づいて表示画像の調整処理を行う画像調整手段１１と、入力された画像データから、所定の検出条件に合致した第１の画像データを検出する画像検出手段９とを有する。そして、画像調整手段９は、第１の画像データに基づいて調整処理を行う。【選択図】図１
2006003425.tif 000002
【特許請求の範囲】
【請求項１】
入力された画像データに基づいて画像を表示する画像表示装置であって、
前記入力された画像データに基づいて表示画像の調整処理を行う画像調整手段と、
前記入力された画像データから、所定の検出条件に合致した第１の画像データを検出する画像検出手段とを有し、
前記画像調整手段は、前記第１の画像データに基づいて前記調整処理を行うことを特徴とする画像表示装置。
【請求項２】
前記検出条件を設定する第１の設定手段を有し、
前記画像検出手段は、前記入力された画像データのうち前記検出条件に合致する画像データを前記第１の画像データとして検出することを特徴とする請求項１に記載の画像表示装置。
【請求項３】
前記検出条件は、画像解像度に関する条件、フレームレートに関する条件、画像内の一部領域の指定に関する条件および特定画像の指定に関する条件のうち少なくとも１つを含むことを特徴とする請求項２に記載の画像表示装置。
【請求項４】
前記画像調整手段による前記調整処理の起動条件を設定する第２の設定手段を有することを特徴とする請求項１から３のいずれか１つに記載の画像表示装置。
【請求項５】
前記起動条件は、前記調整処理を実行するモードが設定されたとき、画像を表示しない状態になったとき、黒画像を表示する状態になったときおよび該装置の電源を投入したときのうち少なくとも１つを含むことを特徴とする請求項４に記載の画像表示装置。
【請求項６】
請求項１から５のいずれか１つに記載の画像表示装置と、
該画像表示装置に画像データを入力する画像データ発生装置とを有することを特徴とする画像表示システム。
【請求項７】
前記画像データ発生装置は、前記画像調整のための画像を生成する画像データ生成手段を有することを特徴とする請求項６に記載の画像表示システム。
【請求項８】
入力された画像データに基づいて画像を表示する画像表示装置における画像調整方法であって、
前記入力された画像データに基づいて表示画像の調整処理を行う調整ステップと、
前記入力された画像データから、所定の検出条件に合致した第１の画像データを検出する検出ステップとを有し、
前記調整ステップにおいて、前記第１の画像データに基づいて前記調整処理を行うことを特徴とする画像調整方法。
【請求項９】
入力された画像データに基づいて画像を表示する画像表示装置においてコンピュータ部に実行させる画像調整プロクラムであって、
前記入力された画像データに基づいて表示画像の調整処理を行う調整ステップと、
前記入力された画像データから、所定の検出条件に合致した第１の画像データを検出する検出ステップとを有し、
前記調整ステップにおいて、前記第１の画像データに基づいて前記調整処理を行うことを特徴とする画像調整プログラム。
【発明の詳細な説明】
【技術分野】
【０００１】
本発明は、アナログビデオ信号をデジタル信号に変換して表示を行う画像表示装置に関するものである。
【背景技術】
【０００２】
従来、液晶ディスプレイや、液晶表示プロジェクタなどの画像表示装置には、パーソナルコンピュータ（ＰＣ）等の画像データ発生装置が接続される。この装置間の接続における信号出力は、一般にアナログＲＧＢ信号であることから機器ごとに画像データの出力レベルが異なる、つまり画像表示装置に入力される画像データの信号レベルにバラツキが生じ、画像を高画質で表示することが難しかった。
【０００３】
そこで、特許文献１では、自動画像調整を備えた画像表示システムが提唱されている。以下、図１０を参照して説明する。
【０００４】
図１０は、上記従来の画像表示システムにおける画像調整方法についてのブロック図である。この図において、１０１ｂは画像表示装置、１０２ｂは画像データ発生装置、１０３ｂは伝送手段である。
【０００５】
画像表示装置１０１ｂは、表示部１０４、Ａ／Ｄ変換手段１０５、自動レベル調整手段１０６ｂ、調整用画像データ送出指示信号発生手段１０９を有しており、画像データ発生装置１０２ｂは、画像データ送出手段１０７ｂ、調整用画像データ送出指示信号発生手段１０９、一般画像データ生成手段１１０、調整用画像データ生成手段１１１を有している。
【０００６】
伝送手段１０３ｂは、画像表示装置１０１ｂおよび画像データ発生装置１０２ｂの間のアナログ画像信号及び、通信制御用として調整用画像データ送出完了信号、調整用画像データ送出指示信号を伝送する。
【０００７】
そして、自動画像調整の実行をすると、調整用画像データ送出指示信号が画像データ発生装置１０２ｂに送られ、画像データ発生装置１０２ｂでは、調整用画像データ送出完了信号とともに、調整用画像データを画像表示装置１０１ｂに送出する。調整用画像データを使って、画像表示装置１０１ｂで自動レベル調整を行う。
【特許文献１】特開２００３−１３１６４１号公報（段落００５４〜００６６、図１等）
【発明の開示】
【発明が解決しようとする課題】
【０００８】
しかしながら、特許文献１の画像表示システムは、以下の問題点があった。
【０００９】
（１）通信制御用として調整用画像データ送出完了信号、調整用画像データ送出指示信号がアナログ画像データ信号以外に必要となる。
【００１０】
（２）自動レベル調整に適した画像を強制的に設定するために、画像表示装置１０１ｂから画像データ発生装置１０２ｂに対して画像データ送出指示信号を出すための通信手段が必ず必要になる。
【００１１】
（３）画像データ送出指示信号後に、画像データ発生装置１０２ｂから確実に画像調整用の画像が出力されたこと確認するために、調整用画像データ送出完了信号が画像表示装置１０１ｂに送られる必要がある。
【００１２】
（４）アナログＲＧＢ画像信号以外に、別途通信制御用の信号線（例えば、ＵＳＢやＲＳ２３２Ｃケーブル等）が必要となり、コストアップやケーブル接続の問題がるとともに、画像調整専用の画像を画像データ発生装置１０２ｂにインストールする必要があり、不特定多数の画像データ発生装置において個別に調整することができない。
【００１３】
本発明の目的は、画像調整を容易に行うことができる画像表示装置及び画像表示システムを提供することにある。
【課題を解決するための手段】
【００１４】
本発明の画像表示装置は、入力された画像データに基づいて画像を表示する画像表示装置であって、入力された画像データに基づいて表示画像の調整処理を行う画像調整手段と、入力された画像データから、所定の検出条件に合致した第１の画像データを検出する画像検出手段とを有し、画像調整手段は、第１の画像データに基づいて調整処理を行う。
【発明の効果】
【００１５】
本発明によれば、所定の検出条件に合致した第１の画像データに基づいて、必要に応じた表示画像の画像調整が迅速、かつ容易に行うことができ、高画質の画像表示が可能な画像表示装置及び画像表示システムを実現できる。
【発明を実施するための最良の形態】
【００１６】
以下、本発明の実施例について図面を参照しながら説明する。
【実施例１】
【００１７】
図１は本発明の実施例１に係る画像表示システムの構成の一例を示すブロック図であり、１はパーソナルコンピュータ（ＰＣ）等の画像データ発生装置、２は液晶ディスプレイや液晶表示プロジェクタ等の画像表示装置、３は画像データ発生装置１と画像表示装置２との間の伝送ケーブルである。
【００１８】
画像データ発生装置１には、画像データ出力回路４、画像生成回路５及び画像変更回路６が設けられている。画像変更回路６は、出力画像の解像度やフレームレートを変更する場合やタスクバーの位置を変更するものであり、この画像生成回路５により必要な解像度に変換された画像データが画像データ出力回路４により画像表示装置２に送られる。
【００１９】
なお、画像生成回路５は、通常使用状態における画像データを生成する。例えば、画像データとして、オペレーティングシステムのデスクトップ画面や各種アプリケーションソフトウェアの画面であってもよい。
【００２０】
画像表示装置２は、画像データ発生装置１から送出されるアナログ画像データをＡ／Ｄ変換するＡＤ変換回路８、所定の検出条件に合致した画像データを検出する画像検出回路９、画像データを表示する表示回路１０、アナログ画像データをデジタル画像データに変換する際の最小値レベル、最大値レベルの調整により表示画像の輝度レベルの調整を行う画像調整回路１１、調整用の画像データを記憶（登録）する調整用画像記憶回路１２、制御回路（ＣＰＵ）１３、メインコントローラ１４が設けられている。
【００２１】
伝送ケーブル３は、画像データ発生装置１及び画像表示装置２間のアナログＲＧＢビデオ信号を送るものである。なお、伝送ケーブル３はケーブル以外にも、例えば無線でのデータ送出が可能な構成にすることもでき、実質的にアナログＲＧＢビデオ信号が画像データ作成装置１から画像表示装置２に送出可能であればよい。
【００２２】
画像検出回路９は、画像の一部又は全体について調整用の画像の領域を切り出したりする。さらに、調整用画像データに一致するか否かの判別を行い、調整用画像を検出している。この画像検出処理は、画像認識処理（例えばパターンマッチング）や入力信号の解像度やフレームレートの検出条件に合致するかにより行われる。
【００２３】
また、この画像検出回路９は上記画像検出処理を行うか否かについても検出及び判別を行っている。画像表示装置２の状態、例えば、調整画像データに合致した時、電源投入時、ＭＵＴＥ時、入力切替時等を画像検出処理の起動条件として、該起動条件に合致するか否かの判別を行い、合致した場合に該画像検出処理により調整用画像データに一致するか否かの判別を行うように構成する。よって、起動条件と画像検出条件が一致（ＡＮＤ条件）した場合に画像調整を行っている。
【００２４】
画像調整回路１１は、画像データ発生装置１からの画像表示装置２に送出される画像信号を、ＡＤ変換する場合のアナログレベルとデジタルレベルと一致させるように自動調整するものである。以下に詳細に説明する。
【００２５】
画像調整回路１１は、画像データ発生装置１からのアナログ画像データをデジタル画像データに変換（ＡＤ変換）する際の最小値レベル、最大値レベルを調整することにより表示画像の輝度レベルの自動調整を行っている。例えば８ｂｉｔのＡＤ変換を基準とすると、デジタル画像データは、「０」が最小値、「２５５」が最大値になる。
【００２６】
一方、アナログ画像データの信号レベルはアナログ電圧であり、通常、画像データ発生装置１の出力の黒信号レベルで０Ｖが最小値、白信号レベルで０．７Ｖが最大値であるが、一般的な画像データ発生装置では、０．７Ｖの規格値に対して−１〜＋５％程度の誤差がある。
【００２７】
そこで、該画像調整回路１１は、このような画像データ発生装置１の個体差を含んだアナログ電圧の最小値レベル及び最大値レベルを、Ａ／Ｄ変換回路８での「０」と「２５５」に一致させる自動調整を行うのである。
【００２８】
最大値レベル調整、最小値レベル調整の具体的例として、オフセット調整で最小値を調整し、ゲイン調整で最大値を調整する。
【００２９】
オフセット調整としては、Ａ／Ｄ変換回路８に入力する信号のオフセット電圧の値を
調整することが考えられる。ゲイン調整としては、Ａ／Ｄ変換回路８に用いられるリファレンス電圧の値を調整することが考えられる。また、別な手段として、Ａ／Ｄ変換回路８からのデジタル出力値を演算処理により調整する方法でも同様に実現可能である。例えば、オフセット調整は、デジタル出力値に足し引きし、ゲイン調整は掛け算を行う。
【００３０】
また、自動レベル調整が不十分な場合は画質が劣化してしまい、例えば、アナログ画像データの最大値に対してＡＤ変換入力が低すぎると、表示部１０に表示される画像は輝度の高い部分の階調がつぶれる、いわゆる白つぶれ画像となり、アナログ画像データの最小値に対して高すぎると、表示部１０に表示される画像は明るさやコントラストが低下した画像となる。
【００３１】
画像調整回路１１の動作については、画像信号の発生頻度（ヒストグラム）を用いた手段が一般的で、ＡＤ変換後のデジタル画像データのレベルを監視し、一定の期間内に発生するデジタル画像データの最大値およびデジタル画像データの最小値を検出する。つまり、最大値として検出されたアナログ信号をＡ／Ｄ変換回路８から「２５５」として調整し、最小値として検出されたアナログ信号をＡ／Ｄ変換回路８から「０」として調整する。
【００３２】
なお、本実施例では、調整に適した画像は、白，「２５５」信号と、黒，「０」信号を含んだ画像であれば、どれでも自動調整の対象となる。更に誤検出を防止するために、なるべく白黒だけの画像が望ましい。
【００３３】
また、本実施例は、使用者が画像表示装置２に備えるオンスクリーンメニューなどにより自動レベル調整のための第１の設定回路１１ａと第２の設定回路１１ｂが設けられ、調整用画像データの条件をあらかじめ選択し、更に、実行するタイミングの条件も選択することで、画像表示装置２の自動レベル調整を行うように構成されている。さらに、後述するように、第１の設定回路１１ａでは、画像表示装置２のオンスクリーンメニューを用いて、調整用の画像と対象画像の領域、対応する解像度、フレームレート、特定画像の選択の設定を行うことができ、第２の設定回路１１ｂでは、起動条件の設定を行うことができる。
【００３４】
次に、本実施例の画像表示システムの動作について説明する。図２は画像表示装置２の動作フローチャートである。なお、以下に説明する画像表示システムの動作は、各処理及び回路の動作ステップが予めメインコントローラ１４にプログラムとして格納されており、順次、ＣＰＵ１３が読み出して各処理動作を制御する一例について述べている。
【００３５】
まず、通常の画像表示装置２の使用状態から（Ｓ０）、オンスクリーンメニューを用いて自動画像調整を行うか否かを選択する（Ｓ１）。画像調整をする場合には、画像条件（検出条件）設定処理に進み（Ｓ２）、画像データ発生装置１の画像から調整用に適した画像条件を選択する。例えばＢｉｏｓ画面を調整用に使用する場合は、入力解像度：６４０×４８０、フレームレート：６０Ｈｚ、対象画像領域設定：入力画像全部、などの条件を第１の設定回路１１ａにより設定する。
【００３６】
次に、起動条件の設定ステップに進み（Ｓ３）、起動条件として例えば「画像条件が一致した場合」などを第２の設定回路１１ｂにより設定し、調整用画像記憶回路１２に画像データを登録して終了する。
【００３７】
以上の設定が行われた後は、画像表示装置２は通常の使用状態と同等になるが、設定した自動調整条件（起動条件、画像検出条件）に一致するか否かを常時により監視している。そして、画像調整処理の起動条件に一致した場合には（Ｓ４）、画像検出条件に一致するか否かを判定し（Ｓ５）、画像が入力解像度：６４０×４８０、フレームレート：６０Ｈｚの場合に自動画像調整処理に進む（Ｓ６）。
【００３８】
自動調整の詳細は、上記条件の場合には、画像データ発生装置１の起動時に出力されるＢｉｏｓ画面の白黒の文字部分から、画像の発生頻度（ヒストグラム）等の手段を用いて自動検出する。つまり、アナログ画像データの最小値を黒としてＡ／Ｄ変換回路８のデジタル画像データが「０」になるようにアナログ信号のオフセット電圧を調整することで実現できる。同様に、アナログ画像データの最大値を白としてＡ／Ｄ変換回路８のデジタル画像データが「２５５」になるようにＡ／Ｄ変換回路８のリファレンス電圧を調整することで実現できる。
【００３９】
自動調整後は、画像表示装置２は通常の使用状態に戻り、自動調整起動条件に一致するかを常に監視し続づける（Ｓ４）。
【００４０】
図５（ａ）、（ｂ）にＢｉｏｓ画面の例を示す。図５（ａ）のＢｉｏｓ画面は、一般に画面の左側が白黒の文字のため、指定画面の左上と右下の座標として（０，０），（３２０，２４０）を設定しておけば、確実に白黒信号を検出することが可能となる。例えば、図５（ｂ）の場合では、前面を対象画像領域に設定しても問題はない。
【００４１】
画像の座標を指定しないで全画面を画像対象領域に設定した場合には、白黒画像に近似した画像のみを検出して自動調整することで容易に白黒領域を検出できる。
【００４２】
次に、自動調整の画像条件及び起動条件について図６を用いてより具体的に説明する。
【００４３】
設定条件としての大分類は、画像検出条件、起動条件があり、画像検出条件には、入力解像度、フレームレート、対象画像領域設定、特定画像設定更に詳細分類として、入力解像度は、「なし」、「６４０×４８０」、「１０２４×７６８」、「１２８０×１０２４」、「１６００×１２００」等、フレームレートは、「なし」、「６０Ｈｚ」、「７０Ｈｚ」、「７５Ｈｚ」、「８０Ｈｚ」とすることができる。
【００４４】
対象画像領域設定としては、画面の領域を指定するためのもので、「なし」、「入力全部」、「左上と左下の座標」を入力することで画面の部分的な領域に絞って画像検出ができる。図３に示した例では、ＡＢＣ文字部分に絞る場合は、（５，５），（３００，２００）と指定することができる。
【００４５】
特定画像設定は、デスクトップ画面のタスクバーに表示される「ＳＴＡＲＴアイコン」を自動調整用画像として利用することができる。
【００４６】
このアイコンは、図４に示すように８０×３２画素の大きさで「ＳＴＡＲＴ」文字が黒信号でボックスの上ラインが白レベルとなっている。
【００４７】
特定画像設定としては、「なし」、「左下のスタートアイコン」、「右下のスタートアイコン」、「右上のスタートアイコン」、「右上のスタートアイコン」を指定することができる。
【００４８】
起動条件としては、画像表示装置２の状態に依存して自動画像調整が起動されることを想定しており、オンスクリーンメニューで「ＡＤ調整」モードを選択した場合や画像を表示していない場合、黒画像を表示する「ＭＵＴＥ」の場合、画像表示装置１の電源投入時等が考えられる。
【００４９】
なお、これらの画像データの条件設定は、使用者の所有する画像データ発生装置１に最適な画像に自由に個別設定することができる。個別条件設定の例を図６（ｂ）を用いて説明する。
【００５０】
例えば、図５に示すＢｉｏｓ画面を自動調整用の画像に設定する場合の例が条件「ＮＯ１」の場合で、名称を「Ｂｉｏｓ１」とし、「６４０×４８０」、「６０Ｈｚ」の画像で、対象画像領域設定として左半分の文字領域を設定するので座標（０，０），（３２０，２４０）、スタートアイコンは使用しないので特定画像設定は「なし」とする。起動条件は、画像データ発生装置１の電源を投入した時に自動的に調整するように画像の条件が一致した場合を選択する。この場合、起動条件が画像検出条件が一致した場合であるため、起動条件の判別処理が画像検出条件の判別処理にそのまま移行し、該起動条件の判別処理から、自動的に画像調整が行われることなる。
【００５１】
よって、このような条件を設定すれば、使用者が何も意識しなくても、画像データ発生装置１を立ち上げた時に毎回、自動調整を実行し、白及び黒レベルが最適な諧調設定に調整される。調整用の画像を画像認識し易い画像パターンにすることで、画像認識での誤動作を防止できる。
【００５２】
次に「スタートアイコン」を自動調整用の画像に設定した場合の例を説明する。図６（ｂ）の条件「ＮＯ３」の例では、名称を「ＳＴＡＲＴ１」とし、「１０２４×７６８」、「６０Ｈｚ」の画像で、対象画像領域設定として左下の領域を設定するので座標（０，７３５）（８０，７６７）、特定画像設定は「スタートアイコンが左下」とする。起動条件は、「ＭＵＴＥ」の場合に調整するように選択する。このような条件を設定するだけで、使用者が何も意識しなくても、画像表示装置２を「ＭＵＴＥ」モードにする毎に毎回、自動調整を実行し、「スタートアイコン」を自動認識して白と黒レベルが最適な諧調設定に調整される。
【００５３】
このように、本実施例は、画像データ発生装置１での解像度やフレームレート、画像の領域、特定された画像をあらかじめ、画像表示装置２に登録（設定）し、さらには、調整モードに移行する条件として、画像条件が一致、画像表示装置２の電源投入時、ＭＵＴＥ時、入力切替時等、メニューで調整モード選択時等も調整用画像記憶回路１２に登録する。
【００５４】
よって、画像表示装置２は、解像度や表示モード、画像検出により、登録された調整用画像データであることを自動検出し、画像調整処理に移行可能なタイミングになった場合に、画像調整処理回路１１は調整用の画像データに基づきレベル調整を行う。
【００５５】
すなわち、画像データ発生装置１に表示される一般的な画像の中から、調整用の画像を選択し、画像パターンを自動認識することでアナログＲＧＢビデオ信号レベルを自動調整するため、画像データの送出指示、完了等の確認処理を行う必要がなく、アナログＲＧＢビデオ信号ケーブル以外に制御ケーブルを必要としない。
【００５６】
よって、機器ごとに画像データの出力レベルが異なっていても、機器個別に設定する必要がなく、自動的に画像を高画質で表示することが可能であり、また、使用者は一度設定すれば、後はほぼ自動で必要に応じて調整が可能である画像表示システム及び画像表示装置を実現できる。
【実施例２】
【００５７】
以下、本発明の実施例２について説明する。上記実施例１は、使用者が画像表示装置２に所定の画像や、条件を設定登録することで自動レベル調整を行う構成としたが、本実施例では、画像表示装置２が画像データ発生装置１で生成された調整用の画像データに基づいて識別することで自動レベル調整を実行する構成である。
【００５８】
図７は本実施例に係る画像表示システムの構成の一例を示すブロック図である。同図は、図１に示した画像表示システムの画像データ発生装置１に画像データ生成回路１５を追加した構成となっており、その他の画像データ発生装置１及び画像表示装置２の構成は、図１と同様であるため説明を省略する。
【００５９】
本実施例では、図８に示すような調整用の画像データを画像データ生成回路１５により生成し、画像データ表示装置１に表示するとともに、画像表示装置２に送出することで、画像表示装置２が自動的に調整画像を認識し自動調整を実行する。以下に、図９を参照して本実施例の画像表示システムの動作を説明する。
【００６０】
まず、画像表示装置２の動作を説明する（図９（ａ）参照）。
【００６１】
通常の使用状態から（Ｓ２０）、オンスクリーンメニューを用いて自動レベル調整を行うか否かを選択する（Ｓ２１）。調整を行う場合には、画像検出回路９での画像検出処理に進み（Ｓ２２）、上記実施例１と同様に、入力される画像のパターンがあらかじめ決められたものと合致するか否かを定期的に検出する。また。画像認識処理についても実施例１同様に一般的な技術を応用でき、例えば画像信号の発生頻度（ヒストグラム）や、色信号を使用する手法、画像の輪郭を抽出する手法などの手段を用いても構わない。画像パターンを、予め図８のようなものに限定することで精度を確保できる。
【００６２】
次に、画像データ発生装置１の動作について説明する（図９（ｂ）参照）。
【００６３】
画像表示装置２の動作フローチャートが完了していることが前提となる。つまり、画像表示装置２において、自動調整（画像調整処理を行う）が選択されている状態から調整用画像データを生成（インストール）するか否かを選択し（Ｓ３１）、生成する場合は画像データ発生装置１の画像データ生成回路１５により、図８に示した調整用画像データを画像データ発生装置１に生成（Ｓ３２）する。該調整用画像データは、１つの画像データ発生装置１に対して一回生成（インストール）すればよい。
【００６４】
次に、自動調整を実行する場合には、画像データ発生装置１に調整用画像データを表示するか否かを選択し（Ｓ３３）、表示する場合は画像データ発生装置１に調整用画像データを表示させ（Ｓ３４）、かつ図８に示すような調整用画像データを画像表示装置２に送出する（Ｓ３７）。この後は、画像表示装置２において画像調整処理が終了するまで待機する（Ｓ３５）。
【００６５】
一方、画像表示装置２では、自動調整（画像調整処理）が選択されている状態であるから、画像データ発生装置１から送出された調整用画像データを受け取って自動認識し、同時に画像調整処理を実行する。そして、画像調整処理が終了したならば、画像調整処理が終了したことをオンスクリーンに表示して使用者に通知し、通常使用状態に戻る。
【００６６】
その後、使用者は、画像表示装置２（のオンスクリーン）で自動調整終了の表示を確認後、画像データ発生装置１で自動調整終了を選択し（Ｓ３６）、調整用画像データの表示を終了させて通常使用状態に戻る。
【００６７】
また、自動調整の対象となる画像データ発生装置１が複数の場合、例えば、画像表示装置２は、１台で、画像データ発生装置が複数あり、順番に接続される場合は、画像表示装置２においては、図９（ａ）の画像表示装置２の動作フローを実行し、自動調整（画像調整処理）が選択されている状態とさせ、画像データ発生装置においては、対象となる画像データ発生装置全てに、調整用画像データを生成しておけば、画像表示装置２と各画像データ発生装置を接続した状態で、上記同様、図９（ｂ）のステップ３０〜ステップ３６を行うことにより、画像データ発生装置毎の自動調整処理を行うことができる。
【００６８】
本実施例によれば、画像データ発生装置１に、調整用の画像を表示することで、画像表示装置２で、調整用画像データを自動認識し、アナログＲＧＢビデオ信号レベルを自動調整することが可能となる。
【００６９】
よって、調整用の画像を画像認識し易い画像パターンに予め画像データ発生装置において設定することができ、画像認識での誤動作を防止できる。
【００７０】
また、対象となる画像データ発生装置に、調整用画像データを生成（インストール）し、画像表示装置２に接続する毎に最低１回自動調整を実行すれば、常に最適なレベルに設定され、白つぶれや、輝度不足、コントラスト不足のない高画質な設定が実現できる。
【図面の簡単な説明】
【００７１】
【図１】本発明の実施例１に係る画像表示システムの構成を示すブロック図である。
【図２】本発明の実施例１に係る画像表示装置のフローチャートである。
【図３】本発明の実施例１に係る対象画像領域を示す図である。
【図４】本発明の実施例１に係る特定画像を示す図である。
【図５】本発明の実施例１に係る対象画像領域を示す図である。
【図６】本発明の実施例１に係る画像条件及び起動条件の一例を示す表である。
【図７】本発明の実施例２に係る画像表示システムの構成を示すブロック図である。
【図８】本発明の実施例２に係る調整用の画像データを示す図である。
【図９】本発明の実施例２に係る画像表示システムのフローチャートである。
【図１０】従来の画像表示システムの構成ブロック図である。
【符号の説明】
【００７２】
１      画像データ発生装置
２      画像表示装置
９      画像検出手段（画像検出回路）
１１    画像調整手段（画像調整処理回路）
【図１】
2006003425.tif 000003
【図２】
2006003425.tif 000004
【図３】
2006003425.tif 000005
【図４】
2006003425.tif 000006
【図５】
2006003425.tif 000007
【図６】
2006003425.tif 000008
【図７】
2006003425.tif 000009
【図８】
2006003425.tif 000010
【図９】
2006003425.tif 000011
【図１０】
2006003425.tif 000012